(57)【特許請求の範囲】
【請求項１】
データセンター（Ｘ）に配設された複数のラック（７）及び各製造メーカの電子機器（８）の位置情報に関するデータベースを有する管理サーバ（１）と、この管理サーバと有線又は無線のいずれかで接続されたＬＡＮと、このＬＡＮに接続され、かつ、前記複数のラックに搭載された前記複数の電子機器に対して所要の距離を有してそれぞれ配設された複数の送受信手段（６）と、前記電子機器にそれぞれ取り付けられていると共に、送受信アンテナを有しかつＩＤ情報を送信することが可能な複数の電子機器ＩＤタグ（９）とから成り、
前記送受信手段（６）のアンテナ（１１）は、前記複数の電子機器ＩＤタグ（９）にそれぞれ対応する複数の単位アンテナ（１１ａ、１１ｂ、１１ｃ…１１ｎ）で構成され、かつ前記ラックに設けられた柱状支持バー（１９）に上下方向に嵌入されて１本のアンテナとなり、
また前記管理サーバは、前記送受信手段から発信されるＩＤ要求無線信号、及び前記電子機器ＩＤタグからの応答無線信号、並びに前記単位アンテナが何番目のものであるかを特定する識別情報を把握する送受信認証部（６Ａ）で判定した情報及び前記データベースに格納されている情報に基づいて、前記各ラックに搭載されている各電子機器の位置情報及び各電子機器の少なくしも前記各製造メーカとその型式を特定することができる内容情報を出力するラック実装機器の位置情報管理システム。
【請求項２】
請求項１に於いて、前記管理サーバは、複数の無線を有し、無線方式により、ラックに実装された複数の電子機器に対して、距離的に離れている広範囲から自動的に各ＩＣタグの情報を読取ることを特徴とするラック実装機器の位置情報管理システム。
【発明の詳細な説明】
【技術分野】
【０００１】
本発明は、データセンターに配設されたラック実装機器の位置情報を管理するシステムに関する。
【背景技術】
【０００２】
まず、特許文献１には、「ラック２と、前記ラックに貼り付けられ、前記ラックの情報が記憶されたラック情報ＲＦＩＤタグ３と、前記ラックの機器取付部に対応するように貼り付けられ、前記対応する機器取付部の位置情報が記憶された位置情報ＲＦＩＤタグ４（４ａ〜４ｆ）と、前記ラック内に取り付けられる機器９に貼り付けられ、前記機器の個別情報が記憶された個別情報ＲＦＩＤタグ５と、前記機器が取り付けられた前記機器取付部に対応する位置情報ＲＦＩＤタグを覆うシールド手段６と、前記ラック情報ＲＦＩＤタグ３の情報を読み取り、さらに前記個別情報ＲＦＩＤタグ５の情報及び露出する前記位置情報ＲＦＩＤタグ４の情報を配置順に読み取る読取手段７と、前記ラック情報ＲＦＩＤタグの情報、及び前記個別情報ＲＦＩＤタグの情報と前記位置情報ＲＦＩＤタグの情報とに基づいて、前記ラックの機器収容情報を取得する端末８と、を備えるラック収容機器管理システム」が記載されている。
【０００３】
この特許文献１は、いわゆる駅の改札の如く、各ラックにそれぞれ最接近して、各ラック内の各ＩＣタグの情報を非接触方式（いわば非接触型の近距離）で読取るものであり、本願発明の如く、いわばトランシバー方式（無線）で実行するものではない（符号は特許文献１のもの）。
【０００４】
次に、特許文献２には、「複数のラックを有し各ラックに複数の機器が搭載され、各ラックと機器について識別子を取得する方法において、特定の１つのラックに搭載される各機器に設けられたラック選択情報が常に選択状態に設定されており、管理サーバは、応答が返る最初のラックが前記特定のラックであることを期待して現在のラック識別子を当該特定のラックを示す最初の値に設定し、各ラックの各機器にその識別子を要求し、前記機器の各々は、前記識別子の要求に応答し、各々設けられた前記ラック選択情報の選択状態を検出した時点で当該機器の識別子を前記管理サーバに送信し、前記管理サーバは、応答のあった前記機器のネットワークアドレス、現在のラック識別子および当該機器の識別子をテーブルに登録し、前記管理サーバは、所定の時間経過後に、応答のあった機器に対し当該機器の隣に位置づけられるラックに搭載される各機器のラック選択情報を選択状態に変更するよう要求し、次のラックからの応答を期待して現在のラック識別子が次のラックの識別子を示すように更新し、前記ラック選択情報の変更要求に応答し、前記機器の各々は、隣のラックに搭載される各機器のラック選択情報を選択状態に設定するよう制御することを特徴とするラック搭載機器の管理方法」が記載されている。
【０００５】
この特許文献２は、各機器を特定するために、論理識別子としてのアドレス、例えばＮＴＴ方式のプロトコル、日本電気方式のプロトコル、富士通方式のプロトコル、東芝方式のプロトコル等の識別情報と、既存のインターネット２と、各ラック３、４，５とをそれぞれ結ぶケーブル６、７等を必要とする（なお、ＮＴＴ、富士通、東芝は、それぞれ登録商標である）。
【０００６】
これに対して、本願発明は、既存のインターネット２、論理回路等を利用して各ラックの複数の機器を選択状態で特定付けるものではない（符号は特許文献２のもの）。
【０００７】
さらに、特許文献３には、「単一又は複数の構成品が搭載される機器の構成認識システムであって、前記構成品にその構成情報を表示した表示部と、前記機器の筐体内に認識部及び制御部を備え、前記認識部は、前記構成品の前記表示部から前記構成情報を非接触で認識し、前記制御部は、前記認識部で認識された前記構成情報により前記構成品が正常であるか否かを判別しその判別情報を出力することを特徴とする機器の構成認識システム」が記載されている。
【０００８】
この特許文献３は、「筐体８内の各機器に貼り付けられた各ＩＣタグを有する情報を非接触状態で読取るものである。付言すると、特許文献３は、（ａ）まず、非接触認識部１２がラック８内に配設されていること、（ｂ）該特許文献に具体的な記載はないものの、ラック８内には、情報読取手段１２をラックの上下方向に沿って移動させる駆動源・案内手段・移送手段が必要であること、（ｃ）さらに、非接触認識部１２としての情報読取手段には、機械装置等を使用して、数字、文字等が示す意味内容を一旦別の形（電流、磁力線、光線等）に変換し、変換されたものをなんらかの物理的、化学的変化（例えば残留磁気、静電容量に関する誘導率の変化、電気抵抗の変化、光線の透過率の変化等）として貯えることによって記録する方法（つまり、各種のリーダ）であると解釈される（符号は特許文献３のもの）。
【先行技術文献】
【特許文献】
【０００９】
【特許文献１】特開２０１０−２０５１２７号公報
【特許文献２】特開２００８−３９１７号公報
【特許文献３】特許第４５６６９９９号公報
【発明の概要】
【発明が解決しようとする課題】
【００１０】
本願発明の所期の目的は、即効性に優れていると共に、管理サーバ側の机上で、各社の電子機器の位置情報を読取ることができるようにすることである。付言すると、広い床面積を有するデータセンター内に配設された複数のラックに支持されている複数の電子機器を、作業員が読み取り手段を持って、いわゆる駅の改札の如く各ラックに最接近して各ＩＣタグの情報を読取らなくても、無線方式により、簡単、かつ広範囲に読取ることができることである。第２の目的は、管理サーバ側の複数の無線でもって、ラックに実装された複数の電子機器に対して、距離的に離れている広範囲から自動的に各ＩＣタグの情報を読取ることである。その他、各社の電子機器を読取ることができること、災害時にも使用することができること、等である。
【課題を解決するための手段】
【００１１】
本発明のラック実装機器の位置情報管理システムは、データセンター（Ｘ）に配設された複数のラック（７）及び各製造メーカの電子機器（８）の位置情報に関するデータベースを有する管理サーバ（１）と、この管理サーバと有線又は無線のいずれかで接続されたＬＡＮと、このＬＡＮに接続され、かつ、前記複数のラックに搭載された前記複数の電子機器に対して所要の距離を有してそれぞれ配設された複数の送受信手段（６）と、前記電子機器にそれぞれ取り付けられていると共に、送受信アンテナを有しかつＩＤ情報を送信することが可能な複数の電子機器ＩＤタグ（９）とから成り、
前記送受信手段（６）のアンテナ（１１）は、前記複数の電子機器ＩＤタグ（９）にそれぞれ対応する複数の単位アンテナ（１１ａ、１１ｂ、１１ｃ…１１ｎ）で構成され、かつ前記ラックに設けられた柱状支持バー（１９）に上下方向に嵌入されて１本のアンテナとなり、また前記管理サーバは、前記送受信手段から発信されるＩＤ要求無線信号、及び前記電子機器ＩＤタグからの応答無線信号、並びに前記単位アンテナが何番目のものであるかを特定する識別情報を把握する送受信認証部（６Ａ）で判定した情報及び前記データベースに格納されている情報に基づいて、前記各ラックに搭載されている各電子機器の位置情報及び各電子機器の少なくしも前記各製造メーカとその型式を特定することができる内容情報を出力することを特徴とする。
【００１２】
上記構成に於いて、前記管理サーバは、複数の無線を有し、トランシバー方式により、ラックに実装された複数の電子機器に対して、距離的に離れている広範囲から自動的に各ＩＣタグの情報を読取ることを特徴とする。
【００１３】
付言すると、前記管理サーバは、該管理サーバ側の無線と前記各ＩＣタグとの情報の応答を、いわゆるトランシバー方式で実行し、前記無線を介して取得した前記ラック内の前記電子機器等に関する位置情報や電子機器の会社名、形式、シリアルナンバー、購入年月日、設置年月日等の内容情報を出力（例えば表示）することを特徴とする。
【発明の効果】
【００１４】
（ａ）いわゆるトランシバー方式で実行するので、読み取り手段を所持する作業員が不要である。付言すると、即効性に優れていると共に、管理サーバ側の机上で、各社の電子機器の位置情報を読取ることができる。
（ｂ）無線の容量如何により、管理サーバは、複数の無線を有し、トランシバー方式により、ラックに実装された複数の電子機器に対して、距離的に離れている広範囲から自動的に各ＩＣタグの情報を読取ることが可能である。その際、商品の内容が異なる各社（Ａ社、Ｂ社、Ｃ社…ｎ社）の電子機器の位置情報を読取ることができる。
（ｃ）インターネットのＩＰアドレス等を利用して複数の電子機器を識別しないので、汎用性がある。
（ｄ）災害時がポイントである。既存のインターネットを利用しないので、例えばインターネット接続回線が断たれたときに全く支障がない。
（ｅ）送受信手段が複数の電子機器ＩＤタグにそれぞれ対応する複数の単位アンテナ（１１ａ、１１ｂ、１１ｃ…１１ｎ）は、各ラックにそれぞれ配設された柱状支持バー（１９）に上下方向に嵌入されて１本のアンテナとなるので、隣同士の電波（呼応）が干渉しない。また、スキャン手段と同様に上下方向に配設された複数の電子機器ＩＤタグを非接触状態で確実に読取ることができる。また、複数の電子機器を確実に識別することができる。
【図面の簡単な説明】
【００１５】
図１乃至図７は本発明の実施形態を示す各説明図。
【図１】第１実施形態の全体構成図。
【図２】管理サーバ側の送受信手段のブロック図。
【図３】電子機器又は／及びラックのＩＤタグの構成図。
【図４】データベース（ＤＢ）に記憶されているデータの概念図。
【図５】送受信手段からタグに対する要求信号のフォーマット図。
【図６】呼応のフローチャート。
【図７】実施化レベルの送信手段６と電気機器搭載のラック７の一例を示す概略説明図。
【発明を実施するための最良の形態】
【００１６】
（１）本願発明…トランシバー方式
本願発明は、所定の場所に存在する管理室又は広い床面積を有するデータセンター内に配設された管理サーバと、前記データセンター内に配設され、かつ前記管理サーバにケーブル（例えばＬＡＮケーブル）を介して接続する無線用のコントローラと、該コントローラに接続する管理サーバ側の無線と、複数の電子機器と、これらの電子機器を上下方向に収納する複数のラックと、少なくとも前記電子機器に貼付された各ＩＣタグとを配設し、前記管理サーバは、前記管理サーバ側の無線と前記各ＩＣタグとの情報の応答を、いわゆるトランシバー方式で実行し、前記無線を介して取得した前記ラック内の前記電子機器等に関する位置情報や電子機器の内容情報（会社名、形式、シリアルナンバー、購入年月日、設置年月日等）を出力（例えば表示）することを特徴とする。
【００１７】
ここで「所定の場所」とは、データセンターの建屋の内外であって、かつＬＡＮが可能なエリアを言う。したがって、無線ＬＡＮ又は有線ＬＡＮで接続可能であれば、データセンターの外であっても良い。また、管理サーバは、図示しない電話回線を用いて通信網に接続され得る。
【００１８】
（２）第１実施形態の基本的構成
図１乃至図７は本発明の実施形態を示す各説明図。図１はラック実装機器の位置情報管理システムの全体構成図である。まず、図１を参照にすると、１はデータベース（ＤＢ）３を有する管理サーバで、該管理サーバ１は情報を処理するための主たる制御部を始めとし、図示しない出入力部、認証情報判定部等を有し、商業用又は自己発電用の電源２と接続している。前述したように管理サーバ１は、広い床Ｆを有するデータセンターＸ内、又は、データセンターＸに対して目地部を介して建てられた別の建物内に設置されている。
【００１９】
そして、データベース３には、ラック番号、ラックの位置番号、ラック並びに該ラックの棚に上下方向に搭載された電子機器にそれぞれ貼有した各タグのＩＤ、該ラックに設けられたアンテナを構成する単位アンテナの各識別番号、資産会社、メーカ、会社の電子機器の形式・型式、シリアル番号、購入年月日、設置年月日、メンテナンス日など各種の識別情報が行・列形式で格納されている（例えば図４参照）。付言すると、前記ラックに設けられたアンテナは、前記複数の電子機器ＩＤタグ（９）にそれぞれ対応する複数の単位アンテナ（１１ａ、１１ｂ、１１ｃ…１１ｎ）で構成され、かつ前記ラックに設けられた柱状支持バー（１９）に上下方向に嵌入されて１本のアンテナとなっている。
【００２０】
次に、４は管理サーバ１と接続する有線又は無線のＬＡＮ（有線ＬＡＮ，無線ＬＡＮ）、５はＬＡＮ用ハブ、６はハブ５にそれぞれ接続すると共に、後述する送信認証部６Ａを含む複数の送受信手段、７はデータセンターＸ内の床面Ｆに所要間隔を有して左右・前後に配設された多数のラック、８は各ラックにそれぞれ上下方向に搭載された複数の電子機器、そして、９（９ａ，９ｂ，９ｃ、…９ｎ）は前記電子機器８（８ａ、８ｂ、８ｃ、…８ｎ）の前面、左右の側面、背面等の側面に貼り付けられた機器位置情報用の電子機器ＩＤタグ、加えて、１０はラックの適宜箇所に貼り付けられたラック位置情報用のラックＩＤタグである（これは必ずしも発明の特定事項ではない）。
【００２１】
次に、図２は管理サーバ側の送受信手段６のブロック図である。送受信手段６及びラック７は、例えばデータセンターＸ内に合計４２のラックの位置番号が存在すれば、１乃至４２の番地（アドレス）の範囲内で多数のラック７を床面Ｆ上に並べることができる。図２では説明の便宜上、一つの送受信手段６及びラック７を示している。
【００２２】
送受信手段６は、前述したようにハブ５に電気的に接続し、単数又は複数のアンテナ１１を始めとし、無線送受信部１２、無線制御部（無線用コントローラ）１３、認証情報記億部１４、認証情報判定部１５、出入力部１６、電源部１７、その他、前記アンテナ１１が多数の単位アンテナから構成されている場合には、図示しない単位アンテナの番号検出用の検出部を有する。
【００２３】
電源部１７は、商業用又は自己発電用の電気が用いられる。また送受信手段６は、実施化レベルでは、複数の電子機器ＩＤタグ９ａ，９ｂ，９ｃ、…９ｎにそれぞれ対応するようにラック７に配設された上下方向の複数の単位アンテナ１１ａ…１１ｎを含む。アンテナ１１は、ラック７を構成する各棚板７ａ，７ｂ，７ｃ、…７ｎの上下方向の間隔・棚板数・電子機器の大きさ・電子機器ＩＤタグの貼り付け位置等を考慮して、単位アンテナの本数や位置が決定され、各単位アンテナ或いはアンテナ１１に識別情報が設けられる（図７参照）。
【００２４】
アンテナ１１は、ラック７の側面に所要の距離間隔を有して直接又は間接的に立設される。望ましくは、アンテナ１１は隣同士の電波（呼応）が干渉しないように、また電子機器８の出し入れを簡単にできるように、ラック７の左右側面のいずれかの側面に対して離間し、かつ上下方向に直線状（例えば柱状、テープ状）に設けられ、非接触方式（いわば非接触型の所要距離）で、複数の電子機器ＩＤタグ９ａ，９ｂ，９ｃ、…９ｎ又は／及びラックＩＤタグ１０と呼応する（この場合、各電子機器ＩＤタグは、各電子機器ＩＤの左側壁又は右側壁のいずれかに貼付する）。
【００２５】
ところで、アンテナ１１を構成する単位アンテナ１１ａ、１１ｂ、１１ｃ、…１１ｎの各断面形状は、多角形、或は円形であり、また５ｃｍ程度の長さであり、図７で示すように、これらの単位アンテナが１本の柱状支持バー１９に上下方向に嵌入されて「１本のアンテナ１１」となっている。
【００２６】
もちろん、周波数（電波の強さ）如何にもよるが、アンテナ１１は、一つのラック７に対して単数であっても良い。実施化レベルの電波に関して、例えば電子機器ＩＤタグ９用の周波数は、「１３．５６メガヘルツ」であることから、複数の単位アンテナを上下方向に組み合わせている。
【００２７】
さて、第１実施形態では、１本のアンテナ１１は、一つのラック７のラックＩＤタグ１０又は／並びに該ラック７の各棚７ａ，７ｂ，７ｃ、…７ｎ上の各電子機器８ａ、８ｂ、８ｃ、…８ｎに対して、フォーマット情報を微弱なＩＤ要求無線信号に乗せて発信する（ＩＤ要求）。
【００２８】
一方、アンテナ１１は、電子機器ＩＤタグ９ａ，９ｂ，９ｃ、…９ｎ又は／及び前記ラック７に設けられたラックＩＤタグ１０からの微弱な応答無線信号を受信する（呼応）。
【００２９】
無線送受信部１２は、前記ＩＤ要求無線信号並びに応答無線信号を送受信する部分である。無線制御部（無線用コントローラ）１３は、認証情報記億部１４の格納情報に基づき、前記ＩＤ要求無線信号並びに応答無線信号を処理する部分である。認証情報記億部１４は、実施形態では当該ラックの棚番号、アンテナ番号、アンテナから発信されたＩＤタグ情報（個別情報）をそれぞれ格納する部分である。
【００３０】
認証情報判定部１５は、保全性・確認性等の理由から、無線制御部１３が前記ＩＤ要求無線信号並びに応答無線信号を処理した際に、当該処理内容を認証する部分である。そして、出入力部１６は、管理サーバ１からのＩＤ要求及び前記認証情報判定部１５の判定結果をやり取りする部分である。
【００３１】
次に、図３は、電子機器又は／及びラックのＩＤタグの構成図である。ここでは、電子機器ＩＤタグ９の構成を説明し、ラックＩＤタグ１０の具体的構成は、それを援用する。
【００３２】
２１は基板、２２は一端部側に設けられた交差指形変換部（インターディジタルトランスジューサ、ＩＤＴ）、２３は他端部側に設けられたリフレクタ、２４は入力パスル用アンテナ、２５は出力パルス用アンテナである。
【００３３】
交差指形変換部２１及びリフレクタ２３を有する電子機器用ＩＤダグ９（ラックＩＤタグ１０も同様）は、入力パルス信号（ＩＤ要求）ａを前記入力パスル用アンテナ２４で受信すると、該受信信号は交差指形変換部２２で変換され、該変換信号は図面上右側に進行してリフレクタ２３で反射される。そして、リフレクタ２３で反射すると、再び交差指形変換部２２に戻り、出力信号として出力パルス用アンテナ２５から出て行く。この時の出力信号は、各電子機器ＩＤタグ９ａ，９ｂ，９ｃ、…９ｎの固有情報（ＩＤ）である。
【００３４】
実施形態では、送受信手段６側に設けられた無線制御部（無線用コントローラ）１３、認証情報記億部１４、認証情報判定部１５等の送受信認証部６Ａが、前記固有情報（ＩＤ）を認証した上で、ハブ５を含むＬＡＮ方式により、認証情報が管理サーバ１に送られる。
【００３５】
（３）データベース、フローチャート等
図４はデータベース（ＤＢ）３に記憶されているデータの概念図である。記憶部の一例としてのデータベース３にはプログラムが格納されているが、該プログラムは、例えば複数のデータセンターＸで使用することができるように標準仕様の信号処理手順が規定されている。
【００３６】
周知のように、記憶部は、ハードディスクやフレキシブルディスク、或いは光ディスク等のストレージ手段であり、本実施形態では、一つのデータセンターＸの床面Ｆ上に配列された多数のラック７、これらのラックの棚７ａ、７ｂ、７ｃ…７ｎに上下方向に搭載された多数の電子機器８（８ａ、８ｂ、８ｃ…８ｎ）、その他資産会社、電子機器の製造メーカ等に対して、それぞれ識別番号を割り当てたデータテーブル（図４）を初めとし、単位アンテナの識別情報、設置時に関する日時情報、使用期間情報、会計情報等の必要な情報が前記ラックに割り当てたラック番号や電子機器情報に対応して格納されている。
【００３７】
しかして、データテーブル３１は、例えば行列方式のデータベーステーブルであり、各行（レコード）の複数のフィールドは、ラック番号フィールド３１ａ、ラック番地（場所）フィールド３１ｂ、電子機器ＩＤフィールド３１ｃ、資産会社フィールド３１ｄ、メーカフィールド１１ｅなどに分けている。これらの各フィールドは、要因コードとしての顧客情報に記憶された各情報（例えば各社）に対応し（関連付けら）ており、図示しない操作部の入力情報（例えば社名）に基づいてラック７に電子機器８を搭載するたびに新規レコードを追加し、そのレコードの各フィールド３１ａ〜３１ｎに、当該電子機器８に対して特定の識別コード等の情報を格納するようになっている。
【００３８】
図５は、送受信手段６からタグ９、１０に対する要求信号のフォーマット図である。このフォーマット４１は、一例であって、該フォーマット４１に限定されるものではない。
しかして、フォーマット４１は、信号種別部４２、認証情報部４３、データ部及び誤り訂正部４５等を含む。信号種別部４２は、当該信号はラックの番地識別であることを示す特定情報を格納する部分である。また認証情報部４３は、管理サーバ１からの個別識別情報を格納する部分である。またデータ部は、アンテナ１１が複数個の単位アンテナ（１１ａ、１１ｂ、１１ｃ、１１ｎ）で構成されている場合には、単位アンテナを判別するための判別情報を格納する部分である。
【００３９】
図６は呼応のフローチャートを簡単に示したものである。ステップＳ１は管理サーバ１からのＩＤの要求である。このＩＤ要求は前述したように無線方式で行われる。ステップＳ２はダク側の受信である。ＩＤ要求は、当該ラック７に搭載されている全ての電子機器８の電子機器ＩＤダク９ａ，９ｂ，９ｃ、…９ｎ及び実施例によっては当該ラックＩＤに対して瞬時に行われるものであるが、これらのＩＤダク（９、１０）から応答信号（ＩＤ）が出力された場合には、アンテナ１１側の認証情報部４３の送受信認証部６Ａは、まず、「ＩＤ＝１？」を、認証情報判定部１５でもって判定する。そして、ステップＳ３で示すように「Ｎｏ」であればステップＳ２の受信に戻る。次にステップＳ４以下もステップＳ３と同様である。このような認証を繰り返して、最後にステップＳｎまで進み、「ＩＤ＝ｎ」になれば終了である。
【００４０】
（４）第１実施形態の特定事項
したがって、本発明の特定事項は、データセンターＸに配設された複数のラック７及び電子機器８の位置情報に関するデータベース３を有する管理サーバ１と、この管理サーバ１と有線又は無線のいずれかで接続されたＬＡＮ４と、このＬＡＮ４に接続され、かつ前記複数のラック７に搭載された複数の電子機器８に対して所要の距離を有してそれぞれ配設された複数の送受信手段６と、前記電子機器８にそれぞれ取り付けられていると共に、送受信アンテナを有し、かつＩＤ情報を送信することが可能な複数の電子機器ＩＤタグ９及び前記ラック７に設けられたラックＩＤタグ１０とから成り、前記管理サーバ１は、前記送受信手段６から発信されるＩＤ要求無線信号及び前記電子機器ＩＤタグ９及び前記ラックに設けられたラックＩＤタグ１０からの応答無線信号を介して、かつ前記データベース３の情報に基づいて、前記各ラック７の各電子機器８の位置情報（ここでは各電子機器の少なくしも前記各製造メーカとその型式を特定することができる情報）や電子機器の内容情報を出力して、管理サーバ１の表示部で直ちに見ることができる。
【実施例】
【００４１】
図７は、説明の便宜上、各電子機器ＩＤタグ９（９ａ、９ｂ、９ｃ…ｎ）を、各電子機器８の正面の右側に貼付し、これに対応して「１本のアンテナ１１」をラック７の右側前面に立設しているが、実施化レベルでは、電子機器８の出し入れ等に配慮して、前記各電子機器ＩＤタグ９を、各電子機器ＩＤ８の左側壁又は右側壁のいずれかに貼付し、これに対応して、アンテナ１１は隣同士の電波（呼応）が干渉しないように、ラック７の左右側面のいずれかの側面に対して離間し、かつ上下方向に直線状に配設される。
【００４２】
ところで、本発明の実施形態では、送受信手段６からタグ９、１０に対する要求信号のフォーマット４１は、前記ラックの位置情報を含むので、これに対応して、電子機器ＩＤタグにラックの位置情報を含めることも可能である。
【００４３】
したがって、このように設計した実施形態（第２実施形態）は、データセンターＸに配設された複数のラック７及び電子機器８の位置情報に関するデータベース３を有する管理サーバ１と、この管理サーバ１と有線又は無線のいずれかで接続されたＬＡＮ４と、このＬＡＮに接続され、かつ前記複数のラックに搭載された複数の電子機器８に対して所要の距離を有してそれぞれ配設された複数の送受信手段６と、前記電子機器にそれぞれ取り付けられていると共に、送受信アンテナを有し、かつＩＤ情報を送信することが可能な複数の電子機器ＩＤタグ９とから成り、前記管理サーバは、前記送受信手段から発信されるＩＤ要求無線信号及び前記ラックの位置情報を含む前記電子機器ＩＤタグからの応答無線信号を介して、かつ、前記データベースの情報に基づいて、前記前記各ラックの各電子機器の位置情報や電子機器の内容情報を出力する。
【００４４】
また、本発明の実施形態では、望ましくは、送受信手段６は、複数の電子機器ＩＤタグ９にそれぞれ対応するように各ラック７にそれぞれ配設された上下方向のアンテナ１１を含み、また前記管理サーバ１は、前記送受信手段６から発信されるＩＤ要求無線信号及び前記電子機器ＩＤタグからの応答無線信号及び前記アンテナの位置情報（望ましくはアンテナを構成する複数の単位アンテナ）を把握する送信認証部６Ａを介して、かつ、前記データベースの情報に基づいて、前記各ラックの各電子機器８の位置情報や電子機器の設置時、型式、メーカ等の内容情報を出力する。そして、前記送信認証部６Ａは、ラックに直接又は間接的に配設され、かつ何番目の単位アンテナであるかを認証する。これにより、各電子機器を確実に識別することが可能になる。
【産業上の利用可能性】
【００４５】
本発明はデータセンターで使用される。
【符号の説明】
【００４６】
Ｘ…データセンター、１…管理サーバ、２…電源、３…データベース、４…ＬＡＮ、５…ハブ、６…送受信手段、７…ラック、８…電子機器、９…電子機器ＩＤタグ、１０…ラックＩＤタグ。
【図１】
0005881973.tif 000002
【図２】
0005881973.tif 000003
【図３】
0005881973.tif 000004
【図４】
0005881973.tif 000005
【図５】
0005881973.tif 000006
【図６】
0005881973.tif 000007
【図７】
0005881973.tif 000008